(57)【要約】【課題】出力装置の色再現性の時間的変動によるグレイバランスの崩れを補正できるようにする。【解決手段】出力装置１００は、出力用の画像データを受信すると、入力色変換処理部１１０によって、所定の入力プロファイルを利用して、ＲＧＢ画像データを、Ｌａｂ画像データに変換する。次に、出力色変換処理部１２０によって、当該出力装置の標準出力プロファイルを利用して、Ｌａｂ画像データを、ＣＭＹＫ画像データに変換する。次に、色再現性の時間的変動を補償するため、色補正処理部１３０によって、画像データの色補正をＫ成分とＣＭＹ成分とで別々に行う。すなわち、画像データのＫ成分については、Ｋ補正部１３１によって、通常のＴＲＣ補正を行い、ＣＭＹ成分については、ＣＭＹ補正部１３２によって、色変換（３次元テーブル変換）を行う。【選択図】図１
2007089031.tif 000002
【特許請求の範囲】
【請求項１】
出力用の画像データを、標準ＣＭＹＫ色空間の画像データに変換する色変換処理部と、
前記色変換処理部から出力される標準ＣＭＹＫ色空間の画像データの色補正を行う
色補正処理部と
を備え、
前記色補正処理部は、
画像データのＫ成分の補正を行うＫ補正部と、
画像データのＣＭＹ成分の補正を行うＣＭＹ補正部と
を備えることを特徴とする出力装置。
【請求項２】
前記ＣＭＹ補正部は、標準ＣＭＹから補正後のＣＭＹへの色変換を行うＣＭＹ変換テーブルによって構成されている
ことを特徴とする請求項１に記載の出力装置。
【請求項３】
前記ＣＭＹ変換テーブルは、補正用出力プロファイルと、マッピングプロファイルと、標準出力プロファイルとに基づいて作成され、
前記補正用出力プロファイルは、所定のキャリブレーション用チャートの出力結果の測色値に基づいて作成され、
前記マッピングプロファイルは、前記補正用出力プロファイル及び標準出力プロファイルに基づいて作成される
ことを特徴とする請求項２に記載の出力装置。
【請求項４】
複数の出力処理部を備えた出力装置であって、
出力用の画像データを、標準ＣＭＹＫ色空間の画像データに変換する色変換処理部と、
画像データが、いずれの出力処理部で出力するためのものかを判別する判別部と、
各出力処理部で出力するための標準ＣＭＹＫ色空間の画像データの色補正を行う複数の色補正処理部と
を備え、
前記複数の色補正処理部はそれぞれ、
画像データのＫ成分の補正を行うＫ補正部と、
画像データのＣＭＹ成分の補正を行うＣＭＹ補正部と
を備えることを特徴とする出力装置。
【請求項５】
前記ＣＭＹ補正部は、標準ＣＭＹから補正後のＣＭＹへの色変換を行うＣＭＹ変換テーブルによって構成されている
ことを特徴とする請求項４に記載の出力装置。
【請求項６】
前記ＣＭＹ変換テーブルは、補正用出力プロファイルと、マッピングプロファイルと、標準出力プロファイルとに基づいて作成され、
前記補正用出力プロファイルは、所定のキャリブレーション用チャートの出力結果の測色値に基づいて、各出力処理部毎に作成され、
前記マッピングプロファイルは、前記補正用出力プロファイル及び標準出力プロファイルに基づいて作成される
ことを特徴とする請求項５に記載の出力装置。
【請求項７】
標準ＣＭＹＫ色空間の画像データを受信して、当該画像データの出力を行う出力装置であって、
前記標準ＣＭＹＫ色空間の画像データの色補正を行う色補正処理部を備え、
前記色補正処理部は、
画像データのＫ成分の補正を行うＫ補正部と、
画像データのＣＭＹ成分の補正を行うＣＭＹ補正部と
を備えることを特徴とする出力装置。
【請求項８】
前記ＣＭＹ補正部は、標準ＣＭＹから補正後のＣＭＹへの色変換を行うＣＭＹ変換テーブルによって構成されている
ことを特徴とする請求項７に記載の出力装置。
【請求項９】
前記ＣＭＹ変換テーブルは、補正用出力プロファイルと、マッピングプロファイルと、標準出力プロファイルとに基づいて作成され、
前記補正用出力プロファイルは、所定のキャリブレーション用チャートの出力結果の測色値に基づいて作成され、
前記マッピングプロファイルは、前記補正用出力プロファイル及び標準出力プロファイルに基づいて作成される
ことを特徴とする請求項８に記載の出力装置。
【請求項１０】
標準ＣＭＹＫ色空間の画像データを受信して、当該画像データの出力を行う複数の出力処理部を備えた出力装置であって、
画像データが、いずれの出力処理部で出力するためのものかを判別する判別部と、
前記標準ＣＭＹＫ色空間の画像データの色補正を前記複数の出力処理部に対してそれぞれ行う複数の色補正処理部と
を備え、
前記複数の色補正処理部はそれぞれ、
画像データのＫ成分の補正を行うＫ補正部と、
画像データのＣＭＹ成分の補正を行うＣＭＹ補正部と
を備えることを特徴とする出力装置。
【請求項１１】
前記ＣＭＹ補正部は、標準ＣＭＹから補正後のＣＭＹへの色変換を行うＣＭＹ変換テーブルによって構成されている
ことを特徴とする請求項１０に記載の出力装置。
【請求項１２】
前記ＣＭＹ変換テーブルは、補正用出力プロファイルと、マッピングプロファイルと、標準出力プロファイルとに基づいて作成され、
前記補正用出力プロファイルは、所定のキャリブレーション用チャートの出力結果の測色値に基づいて、各出力処理部毎に作成され、
前記マッピングプロファイルは、前記補正用出力プロファイル及び標準出力プロファイルに基づいて作成される
ことを特徴とする請求項１１に記載の出力装置。
【請求項１３】
前記判別部は、記録媒体の表面に対して出力を行う前記出力処理部のいずれかと、記録媒体の裏面に対して出力を行う前記出力処理部のいずれかとが異なるように判別する
ことを特徴とする請求項１０乃至１２いずれか記載の出力装置。
【請求項１４】
前記判別部は、記録媒体毎に判別する
ことを特徴とする請求項１０乃至１３いずれか記載の出力装置。
【発明の詳細な説明】
【技術分野】
【０００１】
本発明は、カラープリンタ等のカラー出力装置に関し、特に、カラー出力装置におけるキャリブレーションに関する。
【背景技術】
【０００２】
電子写真プリンタ等の出力装置では、色や濃度の再現性についての個体差や時間的変動を軽減するために、通常、キャリブレーションが行われる。一般に、キャリブレーションとしては、Ｃ（シアン）、Ｍ（マゼンタ）、Ｙ（イエロー）及びＫ（ブラック）の各色をそれぞれ独立に補正するＴＲＣ補正が行われている。しかしながら、この方法では、一次色は補正可能であるが、２次色、３次色の補正ができず、最も目立つグレイバランスの崩れを補正できない。
【０００３】
なお、特開平１１−２５２３８６号公報には、予めキャリブレーションされた標準出力機での色再現性と同様の色再現性を得るように、キャリブレーション対象出力機用のキャリブレーションカーブを作成し、作成されたキャリブレーションカーブを、出力用画像の作成、編集等を行うＰＣ内の出力機プロファイルの１次色部分に反映させることが記載されている。
【０００４】
また、特許第３５１３３３４号公報には、複数種類のデバイスのプロファイルに示される色再現領域情報から、それらのデバイスに共通の色再現領域を求め、求めた共通の色再現領域を示すプロファイルを作成し、作成した共通のプロファイルを用いてカラーマッチング処理を行うことにより、複数種類のデバイスにおいて同一の色再現を得られるようにすることが記載されている。
【特許文献１】特開平１１−２５２３８６号公報
【特許文献２】特許第３５１３３３４号公報
【発明の開示】
【発明が解決しようとする課題】
【０００５】
本発明の目的は、グレイバランスの崩れを補正可能な出力装置を提供することにある。
【課題を解決するための手段】
【０００６】
本発明に係る出力装置は、出力用の画像データを、標準ＣＭＹＫ色空間の画像データに変換する色変換処理部と、前記色変換処理部から出力される標準ＣＭＹＫ色空間の画像データの色補正を行う色補正処理部とを備え、前記色補正処理部は、画像データのＫ成分の補正を行うＫ補正部と、画像データのＣＭＹ成分の補正を行うＣＭＹ補正部とを備えることを特徴とする。
【０００７】
この場合において、前記ＣＭＹ補正部は、標準ＣＭＹから補正後のＣＭＹへの色変換を行うＣＭＹ変換テーブルによって構成するようにしてもよい。この場合、前記ＣＭＹ変換テーブルは、補正用出力プロファイルと、マッピングプロファイルと、標準出力プロファイルとに基づいて作成され、前記補正用出力プロファイルは、所定のキャリブレーション用チャートの出力結果の測色値に基づいて作成され、前記マッピングプロファイルは、前記補正用出力プロファイル及び標準出力プロファイルに基づいて作成されるようにしてもよい。
【０００８】
本発明に係る別の出力装置は、複数の出力処理部を備えた出力装置であって、出力用の画像データを、標準ＣＭＹＫ色空間の画像データに変換する色変換処理部と、画像データが、いずれの出力処理部で出力するためのものかを判別する判別部と、各出力処理部で出力するための標準ＣＭＹＫ色空間の画像データの色補正を行う複数の色補正処理部とを備え、各色補正処理部は、画像データのＫ成分の補正を行うＫ補正部と、画像データのＣＭＹ成分の補正を行うＣＭＹ補正部とを備えたことを特徴とする。
【０００９】
この場合において、前記ＣＭＹ補正部は、標準ＣＭＹから補正後のＣＭＹへの色変換を行うＣＭＹ変換テーブルによって構成するようにしてもよい。この場合、前記ＣＭＹ変換テーブルは、補正用出力プロファイルと、マッピングプロファイルと、標準出力プロファイルとに基づいて作成され、前記補正用出力プロファイルは、所定のキャリブレーション用チャートの出力結果の測色値に基づいて、各出力処理部毎に作成され、前記マッピングプロファイルは、前記補正用出力プロファイル及び標準出力プロファイルに基づいて作成されるようにしてもよい。
【００１０】
本発明に係る更に別の出力装置は、標準ＣＭＹＫ色空間の画像データを受信して、当該画像データの出力を行う出力装置であって、前記標準ＣＭＹＫ色空間の画像データの色補正を行う色補正処理部を備え、前記色補正処理部は、画像データのＫ成分の補正を行うＫ補正部と、画像データのＣＭＹ成分の補正を行うＣＭＹ補正部とを備えたことを特徴とする。
【００１１】
この場合において、前記ＣＭＹ補正部は、標準ＣＭＹから補正後のＣＭＹへの色変換を行うＣＭＹ変換テーブルによって構成するようにしてもよい。この場合、前記ＣＭＹ変換テーブルは、補正用出力プロファイルと、マッピングプロファイルと、標準出力プロファイルとに基づいて作成され、前記補正用出力プロファイルは、所定のキャリブレーション用チャートの出力結果の測色値に基づいて作成され、前記マッピングプロファイルは、前記補正用出力プロファイル及び標準出力プロファイルに基づいて作成されるようにしてもよい。
【００１２】
本発明に係る更に別の出力装置は、標準ＣＭＹＫ色空間の画像データを受信して、当該画像データの出力を行う複数の出力処理部を備えた出力装置であって、画像データが、いずれの出力処理部で出力するためのものかを判別する判別部と、前記標準ＣＭＹＫ色空間の画像データの色補正を前記複数の出力処理部に対してそれぞれ行う複数の色補正処理部とを備え、前記複数の色補正処理部はそれぞれ、画像データのＫ成分の補正を行うＫ補正部と、画像データのＣＭＹ成分の補正を行うＣＭＹ補正部とを備えたことを特徴とする。
【００１３】
この場合において、前記ＣＭＹ補正部は、標準ＣＭＹから補正後のＣＭＹへの色変換を行うＣＭＹ変換テーブルによって構成するようにしてもよい。この場合、前記ＣＭＹ変換テーブルは、補正用出力プロファイルと、マッピングプロファイルと、標準出力プロファイルとに基づいて作成され、前記補正用出力プロファイルは、所定のキャリブレーション用チャートの出力結果の測色値に基づいて、各出力処理部毎に作成され、前記マッピングプロファイルは、前記補正用出力プロファイル及び標準出力プロファイルに基づいて作成されるようにしてもよい。
【００１４】
また、前記判別部は、記録媒体の表面に対して出力を行う前記出力処理部のいずれかと、記録媒体の裏面に対して出力を行う前記出力処理部のいずれかとが異なるように判別するようにしてもよい。また、前記判別部は、記録媒体毎に判別するようにしてもよい。
【発明の効果】
【００１５】
本発明によれば、出力装置の色再現性の時間的変動によるグレイバランスの崩れを補正することが可能となる。
【発明を実施するための最良の形態】
【００１６】
以下、本発明の実施の形態について、図面を参照しつつ詳細に説明する。
【００１７】
図１は、本発明による出力装置の構成を示す図である。
【００１８】
同図に示すように、本発明による出力装置１００は、入力色変換処理部１１０と、出力色変換処理部１２０と、色補正処理部１３０と、スクリーン処理部１４０と、出力処理部１５０とを備える。また、色補正処理部１３０は、Ｋ補正部１３１と、ＣＭＹ補正部１３２とを備える。
【００１９】
入力色変換処理部１１０は、接続されたコンピュータ等から送られてくる出力用の画像データに対して、色変換処理を行うものである。より具体的には、入力色変換処理部１１０は、所定の入力プロファイルを利用して、入力色空間（例えば、ＲＧＢ）の画像データを、ＰＣＳ（Profile Connection Space）（例えば、ＣＩＥ−Ｌ＊ａ＊ｂ＊（以下、単に、Ｌａｂと表記する））の画像データに変換する。すなわち、入力色変換処理部１１０は、デバイス・ディペンデントな色空間からデバイス・インディペンデントな色空間への変換を行う。
【００２０】
出力色変換処理部１２０は、入力色変換処理部１１０によってＰＣＳに変換された画像データに対して、色変換処理を行うものである。より具体的には、出力色変換処理部１２０は、当該出力装置の標準出力プロファイルを利用して、ＰＣＳ（例えば、Ｌａｂ）の画像データを、ＣＭＹＫ色空間の画像データに変換する。すなわち、出力色変換処理部１２０は、デバイス・インディペンデントな色空間からデバイス・ディペンデントな色空間（出力装置１００依存の色空間）への変換を行う。なお、標準出力プロファイルとは、工場出荷時における出力装置１００の「標準機」の特性を記述したものである。
【００２１】
色補正処理部１３０は、色再現性の時間的変動を補償するために、画像データの色の補正を行うものである。色補正処理部１３０は、画像データのＫ成分とＣＭＹ成分とで、異なる色補正を行う。すなわち、画像データのＫ成分については、Ｋ補正部１３１によって、通常のＴＲＣ補正を行い、ＣＭＹ成分については、ＣＭＹ補正部１３２によって、色変換（標準ＣＭＹ→実機ＣＭＹ）を行う。Ｋ補正部１３１は、出力色変換処理部１２０から渡される画像データのＫ成分値に対応するアドレスに、補正後のＫ成分値を記憶する１次元ルックアップテーブル（ＬＵＴ）で構成される。また、ＣＭＹ補正部１３２は、出力色変換処理部１２０から渡される画像データのＣＭＹ成分値に対応するアドレスに、補正後のＣＭＹ成分値を記憶する３次元ＬＵＴで構成される。
【００２２】
ＣＭＹ成分の色補正を、３次元テーブル変換で行うことにより、色再現性に時間的変動があっても、ＣＭＹ３色による重ね合わせ特性を補正できる。つまり、ＣＭＹ３色による有彩色は、１次色だけでなく、２次色、３次色を含め正確に補正できるようになる。また、ＣＭＹ３色による無彩色、すなわちプロセス・グレーについても、ＣＭＹ３色による重ね合わせ特性を補正するため、グレイバランスの崩れを補正できるようになる。
【００２３】
なお、Ｋ成分はＴＲＣ補正を行うことにより、Ｋ単色での補正を行う。Ｋ成分と、ＣＭＹ成分のうちの少なくとも１色を含む有彩色とからなる色は、それらの重ね合わせ特性を測定しないため正確な補正はできないが、Ｋ単色とＣＭＹ３色はそれぞれ個別に補正しているため、実用上問題ないレベルで補償できる。同様に、Ｋと、ＣＭＹ３色による無彩色（プロセス・グレー）とからなるグレー色も、それらの重ね合わせ特性を測定しないため正確な補正はできないが、ＣＭＹ３色によるプロセス・グレーのグレイバランスは補償しているため、Ｋとの組み合わせにおいても、グレイバランスの品質を含め、実用上問題ないレベルで補償できる。
【００２４】
スクリーン処理部１４０は、色補正処理部１３０から出力されるＣＭＹＫ色空間の画像データに対して、スクリーン処理（疑似中間調処理）を行うものである。
【００２５】
出力処理部１５０は、スクリーン処理部１４０から出力されるＣＭＹＫ色空間の二値画像データに基づいて、用紙（記録媒体）に対して通常の出力処理を行うものであり、例えば、感光体、帯電装置、露光装置、現像装置、定着装置、クリーニング装置等を備える。
【００２６】
次に、以上のような構成を有する出力装置１００の動作について説明する。
【００２７】
出力装置１００は、接続されたコンピュータ等から出力用の画像データを受信すると、まず、入力色変換処理部１１０によって、所定の入力プロファイルを利用して、入力色空間（例えば、ＲＧＢ）の画像データを、ＰＣＳ（例えば、Ｌａｂ）の画像データに変換する。
【００２８】
次に、出力色変換処理部１２０によって、当該出力装置の標準出力プロファイルを利用して、ＰＣＳ（例えば、Ｌａｂ）の画像データを、ＣＭＹＫ色空間の画像データに変換する。
【００２９】
次に、色再現性の時間的変動を補償するため、色補正処理部１３０によって、画像データの色補正をＫ成分とＣＭＹ成分とで別々に行う。すなわち、画像データのＫ成分については、Ｋ補正部１３１によって、通常のＴＲＣ補正を行い、ＣＭＹ成分については、ＣＭＹ補正部１３２によって、色変換（標準ＣＭＹ→実機ＣＭＹ）を行う。
【００３０】
次に、スクリーン処理部１４０によって、色補正処理部１３０から出力されるＣＭＹＫ色空間の画像データに対して、スクリーン処理（疑似中間調処理）を行う。
【００３１】
最後に、出力処理部１５０によって、スクリーン処理部１４０から出力されるＣＭＹＫ色空間の二値画像データに基づいて、用紙に対して通常の出力処理を行う。
【００３２】
以上のような処理を行うことにより、色再現性の時間的変動によるグレイバランスの崩れを補正することが可能となる。
【００３３】
次に、ＣＭＹ補正部１３２における色変換に利用されるＣＭＹ変換テーブルの作成方法について説明する。
【００３４】
図２は、出力装置１００におけるＣＭＹ変換テーブルの作成処理の流れを示す図である。
【００３５】
同図に示すように、まず、出力装置１００によって所定のキャリブレーション用チャートを出力する（Ｓ２０１）。キャリブレーション用チャートは、例えば、ＣＭＹの各濃度値を適宜変えて混色した複数のパッチ及びＫ単色の濃度値を適宜変えた複数のパッチを有するチャートであり、仮にＣＭＹＫそれぞれで、６種類の濃度値を選択したとすると、総パッチ数は、６×６×６＋６＝２２２パターンとなる。
【００３６】
次に、キャリブレーション用チャートの出力結果を測色機等で測色し、測色値に基づいて、現在のＣＭＹとＰＣＳ上の色との関係を記述する補正用出力プロファイルを作成する（Ｓ２０２）。
【００３７】
次に、作成された補正用出力プロファイルから、出力装置１００の現在の色再現域情報を取得する（Ｓ２０３）。
【００３８】
次に、標準出力プロファイルから、出力装置１００の標準（例えば、工場出荷時の「標準機」）の色再現域情報を取得する（Ｓ２０４）。このとき、まず、ＣＭＹＫ４色についての標準出力プロファイルから、ＣＭＹ３色についての標準出力プロファイルを生成し、当該ＣＭＹ３色についての標準出力プロファイルから、色再現域情報を取得する。
【００３９】
次に、取得された２つの色再現域情報に基づいて、両者に共通する色再現域を求める（Ｓ２０５）
【００４０】
次に、標準状態（例えば、工場出荷時の「標準機」）のＣＭＹ色空間を、共通色再現域内へマッピングするためのマッピングプロファイルを作成する（Ｓ２０６）。なお、このときのマッピング方法は、標準状態のＣＭＹ色空間で共通色再現域に含まれる色は、現在再現可能なＣＭＹ３色の出力プロファイルを用いて補正済みのＣＭＹ３色に変換することによって、色が変わらないようにする。一方、共通色再現域外の色は、色差最小となる共通色再現域内の色にマッピングしたのちに、現在再現可能なＣＭＹ３色の出力プロファイルを用いて補正済みのＣＭＹ３色に変換する。
【００４１】
最後に、作成されたマッピングプロファイルと、ＣＭＹ３色についての標準出力プロファイルと、補正用出力プロファイルとに基づいて、ＣＭＹ変換テーブルを作成する（Ｓ２０７）。
【００４２】
以上のようにして、標準ＣＭＹと現在のＣＭＹ（補正後のＣＭＹ）との関係を記述するＣＭＹ変換テーブルが作成される。このようにして作成されるＣＭＹ変換テーブルを利用して色変換を行うことにより、出力装置１００の色再現域に時間的変動が生じた場合であっても、標準状態における色再現域とのずれを抑えることが可能となる。
【００４３】
次に、本発明による出力装置の別の実施形態について説明する。本実施形態では、出力装置は、複数（具体的には２つ）の出力処理部を備える。そして、一方の出力処理部で用紙の表面の印刷を行い、他方の出力処理部で用紙の裏面の印刷を行うことで、両面印刷を実現する。
【００４４】
図３は、本発明による別の出力装置の構成を示す図である。なお、同図では、図１に示した構成要素と同様のものには、同一の参照符号を付してある。
【００４５】
同図に示すように、本発明による出力装置３００は、入力色変換処理部１１０と、出力色変換処理部１２０と、表裏判別部３１０と、２つの色補正処理部１３０ａ，１３０ｂと、２つのスクリーン処理部１４０ａ，１４０ｂと、２つの出力処理部１５０ａ，１５０ｂとを備える。また、色補正処理部１３０ａは、Ｋ補正部１３１ａとＣＭＹ補正部１３２ａとを備え、色補正処理部１３０ｂは、Ｋ補正部１３１ｂとＣＭＹ補正部１３２とを備える。
【００４６】
入力色変換処理部１１０及び出力色変換処理部１２０は、前述した入力色変換処理部１１０及び出力色変換処理部１２０と同様のものなので詳細な説明は省略する。
【００４７】
表裏判別部３１０は、画像データが用紙の表面に出力するためのものか、用紙の裏面に出力するためのものかを判別し、表面用の画像データは、色補正処理部１３０ａに対して出力し、裏面用の画像データは、色補正処理部１３０ｂに対して出力するものである。
【００４８】
色補正処理部１３０ａは、表裏判別部３１０から出力される表面用の画像データに対して、色補正処理を行うものである。より具体的には、色補正処理部１３０ａは、Ｋ補正部１３１ａによって、表面用の画像データのＫ成分の補正を行い、ＣＭＹ補正部１３２ａによって、表面用の画像データのＣＭＹ成分の補正を行う。なお、Ｋ補正部１３１ａ及びＣＭＹ補正部１３２ａの構成は、前述したＫ補正部１３１及びＣＭＹ補正部１３２と同様であるので詳細な説明は省略する。
【００４９】
同様に、色補正処理部１３０ｂは、表裏判別部３１０から出力される裏面用の画像データに対して、色補正処理を行うものである。より具体的には、色補正処理部１３０ｂは、Ｋ補正部１３１ｂによって、裏面用の画像データのＫ成分の補正を行い、ＣＭＹ補正部１３２ｂによって、裏面用の画像データのＣＭＹ成分の補正を行う。なお、Ｋ補正部１３１ｂ及びＣＭＹ補正部１３２ｂの構成は、前述したＫ補正部１３１及びＣＭＹ補正部１３２と同様であるので詳細な説明は省略する。
【００５０】
スクリーン処理部１４０ａは、色補正処理部１３０ａから出力される表面用の画像データに対して、スクリーン処理（疑似中間調処理）を行うものである。スクリーン処理部１４０ｂは、色補正処理部１３０ｂから出力される裏面用の画像データに対して、スクリーン処理（疑似中間調処理）を行うものである。
【００５１】
出力処理部１５０ａは、スクリーン処理部１４０ａから出力される表面用の二値画像データに基づいて、用紙の表面に対して通常の出力処理を行うものである。出力処理部１５０ｂは、スクリーン処理部１４０ｂから出力される裏面用の二値画像データに基づいて、用紙の裏面に対して通常の出力処理を行うものである。出力処理部１５０ａ，１５０ｂは、例えば、感光体、帯電装置、露光装置、現像装置、定着装置、クリーニング装置等を備える。
【００５２】
次に、以上のような構成を有する出力装置３００の動作について説明する。
【００５３】
出力装置３００は、接続されたコンピュータ等から出力用の画像データを受信すると、まず、入力色変換処理部１１０によって、所定の入力プロファイルを利用して、入力色空間（例えば、ＲＧＢ）の画像データを、ＰＣＳ（例えば、Ｌａｂ）の画像データに変換する。
【００５４】
次に、出力色変換処理部１２０によって、当該出力装置の標準出力プロファイルを利用して、ＰＣＳ（例えば、Ｌａｂ）の画像データを、ＣＭＹＫ色空間の画像データに変換する。
【００５５】
次に、表裏判別部３１０により、画像データが用紙の表面に出力するためのものか、用紙の裏面に出力するためのものかを判別し、表面用の画像データは、色補正処理部１３０ａに対して出力し、裏面用の画像データは、色補正処理部１３０ｂに対して出力する。
【００５６】
次に、色補正処理部１３０ａによって、表裏判別部３１０から出力される表面用の画像データに対して色補正処理を行う。すなわち、Ｋ補正部１３１ａによって、表面用の画像データのＫ成分の補正を行い、ＣＭＹ補正部１３２ａによって、表面用の画像データのＣＭＹ成分の補正を行う。
【００５７】
同様に、色補正処理部１３０ｂによって、表裏判別部３１０から出力される裏面用の画像データに対して、色補正処理を行う。すなわち、Ｋ補正部１３１ｂによって、裏面用の画像データのＫ成分の補正を行い、ＣＭＹ補正部１３２ｂによって、裏面用の画像データのＣＭＹ成分の補正を行う。
【００５８】
次に、スクリーン処理部１４０ａ及び１４０ｂによって、色補正処理部１３０ａ及び１３０ｂからそれぞれ出力される表面用及び裏面用の画像データに対して、スクリーン処理（疑似中間調処理）をそれぞれ行う。
【００５９】
最後に、出力処理部１５０ａ及び１５０ｂによって、スクリーン処理部１４０ａ及び１４０ｂからそれぞれ出力される表面用及び裏面用の二値画像データに基づいて、用紙の表面及び裏面に対して通常の出力処理をそれぞれ行う。
【００６０】
以上のような処理を行うことにより、色再現性の時間的変動によるグレイバランスの崩れを補正することが可能となる。
【００６１】
次に、ＣＭＹ補正部１３２ａ，１３２ｂにおける色変換に利用されるＣＭＹ変換テーブルの作成方法について説明する。
【００６２】
図４は、出力装置３００におけるＣＭＹ変換テーブルの作成処理の流れを示す図である。
【００６３】
同図に示すように、まず、出力装置３００が備える各出力処理部１５０ａ，１５０ｂによって所定のキャリブレーション用チャートを出力する（Ｓ４０１）。
【００６４】
次に、キャリブレーション用チャートの出力結果を測色機等で測色し、測色値に基づいて、各出力処理部１５０ａ，１５０ｂ毎に、現在のＣＭＹとＰＣＳ上の色との関係を記述する補正用出力プロファイルを作成する（Ｓ４０２）。
【００６５】
次に、作成された各補正用出力プロファイルから、各出力処理部１５０ａ，１５０ｂの現在の色再現域情報を取得する（Ｓ４０３）。
【００６６】
次に、標準出力プロファイルから、出力装置３００の標準の色再現域情報を取得する（Ｓ４０４）。このとき、まず、ＣＭＹＫ４色についての標準出力プロファイルから、ＣＭＹ３色についての標準出力プロファイルを生成し、当該ＣＭＹ３色についての標準出力プロファイルから、色再現域情報を取得する。
【００６７】
次に、取得された複数の色再現域情報に基づいて、すべてに共通する共通色再現域を求める（Ｓ４０５）
【００６８】
次に、標準状態のＣＭＹ色空間を、共通色再現域内へマッピングするためのマッピングプロファイルを作成する（Ｓ４０６）。なお、このときのマッピング方法は、標準状態のＣＭＹ色空間の共通色再現域に含まれる色は、表面と裏面とで別々に、現在再現可能なＣＭＹ３色の出力プロファイルを用いて、補正済みのＣＭＹ３色に変換する。一方、共通色再現域外の色は、色差最小となる共通色再現域内の色にマッピングしたのちに、表面と裏面とで別々に、現在再現可能なＣＭＹ３色の出力プロファイルを用いて、補正済みのＣＭＹ３色に変換する。
【００６９】
最後に、作成されたマッピングプロファイルと、ＣＭＹ３色についての標準出力プロファイルと、各補正用出力プロファイルとに基づいて、各出力処理部１５０ａ，１５０ｂ毎のＣＭＹ変換テーブルを作成する（Ｓ２０７）。より具体的には、標準のＣＭＹを、標準出力プロファイルとマッピングプロファイルを用いて、共通色再現域にマッピングし、さらに、各出力処理部１５０ａ，１５０ｂ毎の補正用出力プロファイルを用いて、各出力処理部１５０ａ，１５０ｂの補正用ＣＭＹに変換することで作成する。
【００７０】
以上のようにして、標準ＣＭＹと現在のＣＭＹ（補正後のＣＭＹ）との関係を記述するＣＭＹ変換テーブルが作成される。このようにして作成されるＣＭＹ変換テーブルを利用して色変換を行うことにより、出力装置３００の色再現域に時間的変動が生じた場合であっても、標準状態における色再現域とのずれを抑えることが可能となる。更に、出力処理部１５０ａ，１５０ｂ間で色再現域が異なる場合であっても、出力処理部１５０ａ，１５０ｂの出力結果の色再現を一致させることが可能となる。
【００７１】
したがって、出力装置３００は、用紙の表面に対して出力処理を行う出力処理部１５０ａの色再現域と、用紙の裏面に対して出力処理を行う出力処理部１５０ｂの色再現域とが互いに異なり、かつ時間的変動をそれぞれ伴っても、用紙の表面に出力する画像と裏面に出力する画像との色味の違い及び変動を補正することができる。つまり、出力処理部１５０ａ，１５０ｂの色再現域の相違及び色再現域の時間的変動に起因する色味の違い及び変動を出力装置３００が補正するので、出力装置３００に接続されたコンピュータ等は、出力処理部１５０ａ，１５０ｂの色再現域の相違及び色再現域の時間的変動にかかわらず、標準のＣＭＹＫの画像データを出力装置３００に対して送ることにより、出力装置３００を介して色味の違い及び変動を補正した画像を用紙の両面に出力することができる。
【００７２】
また、出力装置３００は、用紙毎に出力処理部１５０ａ，１５０ｂいずれかを割り当てて、画像を用紙の片面又は両面に出力するものであってもよい。
【００７３】
以上、本発明の実施形態について説明したが、当然のことながら、本発明の実施形態は上記のものに限られない。例えば、出力用の画像データを生成して、出力装置に送信するコンピュータ等において、出力装置の標準出力プロファイルを用いて、出力装置に依存するＣＭＹＫ色空間の画像データへの変換を行う場合は、出力装置においては、入力色変換処理部１１０及び出力色変換処理部１２０は不要となる。
【図面の簡単な説明】
【００７４】
【図１】本発明による出力装置の構成を示す図である。
【図２】出力装置１００におけるＣＭＹ変換テーブルの作成処理の流れを示す図である。
【図３】本発明による別の出力装置の構成を示す図である。
【図４】出力装置３００におけるＣＭＹ変換テーブルの作成処理の流れを示す図である。
【符号の説明】
【００７５】
１００    出力装置
１１０    入力色変換処理部
１２０    出力色変換処理部
１３０，１３０ａ，１３０ｂ    色補正処理部
１３１，１３１ａ，１３１ｂ    Ｋ補正部
１３２，１３２ａ，１３２ｂ    ＣＭＹ補正部
１４０，１４０ａ，１４０ｂ    スクリーン処理部
１５０，１５０ａ，１５０ｂ    出力処理部
３００    出力装置
３１０    表裏判別部
【図１】
2007089031.tif 000003
【図２】
2007089031.tif 000004
【図３】
2007089031.tif 000005
【図４】
2007089031.tif 000006